(57)【要約】【課題】  物品のグループ内に存在すること個人の物品を迅速かつ有効に識別する物体識別装置を提供する。【解決手段】  物体識別装置はファスナー（１２）を有する。このファスナーは、雄型ファスナー（２０）を画定する第１の締結シート材料、及び雄型ファスナーをその中に受け入れるように寸法決めされたポケットを形成するためそれ自体上で折り返される雌型ファスナー（２５）を画定する第２の締結シート材料を含む。ファスナー（１２）は、物体の識別及び固定の目的を容易にするために物体に取り付けられるようにされる。【選択図】  図７
0003145295.tif 000002
【実用新案登録請求の範囲】
【請求項１】
物体識別装置であって、
識別具ストラップ、及び識別具ストラップに摺動自在に装着された装着板を備え、
前記装着板に雌型ファスナーが取り付けられ、
前記雌型ファスナーは、装着板に取り付けられた頂点部分及び一対の自由脚部材を有するＶ字形状に折り返された平坦な締結シート材料であり、雌型ファスナーの一対の自由脚部材が、雄型ファスナーを受け入れるように開くことができ、且つ互いに閉じるようにされ、雄型ファスナーを一対の自由脚部材の各々に着脱自在に固定するようされ、識別具ストラップにより視覚的に識別されるべき物体を取り囲むための閉じたループ形状に識別具ストラップを固定し、
前記雄型ファスナーが、識別具ストラップの一端に取り付けられた別の平坦なシート材料であり、雌型ファスナーの一対の自由脚部材間で雄型ファスナーが挟持可能にされ、識別具ストラップにより視覚的に識別されるべき物体を取り囲むための閉じたループ形状に識別具ストラップを固定することを特徴とする物体識別装置。
【請求項２】
前記別の平坦なシート材料が上方表面及び下方表面を有し、該上方表面及び下方表面の双方が、雌型ファスナーの一対の自由脚部材間で雄型ファスナーを固定可能にするための複数のフック又は複数のループを有することを特徴とする請求項１の物体識別装置。
【請求項３】
前記平坦な締結シート材料が上方表面及び下方表面を有し、上方表面のみが、雄型ファスナーの上方表面への及び雄型ファスナーの下方表面への雌型ファスナーを固定可能にするための複数のループ又は複数のフックを有することを特徴とする請求項２の物体識別装置。
【請求項４】
前記雌型ファスナーの下方表面がこれに固定された識別カードを有することを特徴とする請求項３の物体識別装置。
【請求項５】
前記識別カードが雌型ファスナーの下方表面に取り付けられた透明なプラスチックポケット内に位置することを特徴とする請求項４の物体識別装置。
【請求項６】
前記識別具ストラップが識別具ストラップにより固定された物体の視覚的な識別を容易にするため識別目印を具備することを特徴とする請求項５の物体識別装置。
【請求項７】
前記識別目印が、色彩、模様、テキスト、グラフィックデザイン、浮き彫りデザイン及び広告を含む識別具目印のグループから選択されることを特徴とする請求項６の物体識別装置。
【請求項８】
物体識別装置であって、
実質上異なる長さ寸法であるが実質上同じ幅寸法を有する第１及び第２の締結シート材料を含むファスナーを有し、
第１の締結シート材料が雄型ファスナーを画定し、
第２締結シート材料が、それ自体の上に折り返され、雄型ファスナーを受け入れる寸法のポケットを形成する雌型ファスナーを画定し、
前記ファスナーが、物体を識別し固定する目的で物体に取り付けられることを特徴とする物体識別装置。
【請求項９】
前記ファスナーが、物体の識別を容易にする視覚的な識別具に取り付けられた識別具ファスナーであり、第１の締結シート材料が雄型ファスナーを画定するための長さ及び幅寸法を有し、第２の締結シート材料が雌型ファスナーを画定するための別の長さ及び幅寸法を有し；
前記雄型ファスナーが上方の締結領域及び下方の締結領域を有し、雌型ファスナーが第１の締結領域及び第２の締結領域を有し；
第１の締結領域及び第２の締結領域が装着板に取り付けられた頂点部分のまわりで互いから離間し；
雌型ファスナーは、その第１の締結領域が雄型ファスナーの上方の締結領域に係合してこれに着脱自在に固定できるように構成され；
雌型ファスナーは更に、その第２の締結領域が雄型ファスナーの下方の締結領域に係合してこれに着脱自在に固定できるように構成されることを特徴とする請求項８の物体識別装置。
【請求項１０】
前記雄型ファスナーが視覚的な識別具に取り付けられることを特徴とする請求項９の物体識別装置。
【請求項１１】
前記視覚的な識別具が識別具ファスナー上にポケットを形成するための透明なプラスチックシートであり、前記ポケット内にカード識別具が受け入れ可能であることを特徴とする請求項１０の物体識別装置。
【請求項１２】
前記視覚的な識別具が識別具ストラップであることを特徴とする請求項１１の物体識別装置。
【請求項１３】
前記雄型ファスナー及び雌型ファスナーは、識別具ストラップが識別具ストラップにより視覚的に識別されるべき物体に対する識別具ストラップの緊密な締付けを容易にするために閉じたループ形状として形成されることを特徴とする請求項１２の物体識別装置。
【請求項１４】
前記識別具ストラップが物体に取り付けたときに識別具ストラップの簡単な視覚的な識別を容易にするために所定の幅寸法及び所定の長さ寸法を有し、前記識別具ストラップが末端及び基端を有し、基端が係止板ストラップ支持部材に取り付けられ、末端が雄型ファスナーに取り付けられることを特徴とする請求項１３の物体識別装置。
【請求項１５】
前記識別具ストラップが物体識別目的のために物体のまわりでループとなるのに十分な長さ寸法を有することを特徴とする請求項１４の物体識別装置。
【請求項１６】
前記係止板が、ストラップ支持部材及び一対の孔を有し、一対の孔の各１つがストラップ支持部材の両側に位置し、
前記識別具ストラップの基端がストラップ支持部材に恒久的に取り付けられ、
前記ストラップ支持部材が、物体を取り囲むための調整可能なストラップループの形成を容易にし、更に、物体に対するストラップループの緊密な締め付けを容易にするために、識別具ストラップの一部を下方から支持することを特徴とする請求項１５の物体識別装置。
【請求項１７】
前記識別具ストラップがその上に位置される識別目印を有し、
前記識別目印が色彩、模様、テキスト、グラフィックデザイン、浮き彫りデザイン、花柄デザイン、花輪デザイン及び広告を含む目印のグループから選択され、
前記識別具ストラップが、旅行カバン、ブリーフケース、スポーツ用品、ラップトップコンピュータ及び本を含む物体のグループから選択された物体を取り囲み、その物体に対して締め付けられるのに十分な所定の長さを備えるように選択されることを特徴とする請求項１０の物体識別装置。
【請求項１８】
物体識別装置であって、
ファスナー及びカード識別具の組み合わせを備え、前記ファスナーは、雄型シートファスナーを受け入れるためのＶ字形状に開く雌型シートファスナーであり、
前記雌型シートファスナーが、雌型シートファスナー内で雄型ファスナーを挟持し、着脱自在に固定するために閉じるようにされ、
雌型シートファスナー及び雄型シートファスナーが、各々物体識別具に取り付けられることを特徴とする物体識別装置。
【請求項１９】
前記物体識別具が末端及び基端を有する識別具ストラップであり、前記末端が雄型シートファスナーに取り付けられ、前記基端が係止板に取り付けられ、前記係止板は、識別具ストラップが識別具ストラップにより視覚的に識別され、固定されるべき物体を取り囲むのを容易にするために調整可能なループとして形状づけられるのを可能にするように、識別具ストラップに摺動自在に装着され、
前記雌型シートファスナーを取り付けた装着板を含み、
前記装着板が、識別具ストラップを摺動自在に受け入れるための孔を有し、識別具ストラップが、物体に対して緊密に締め付けられる閉じたループに形状づけられることを特徴とする請求項１８の物体識別装置。
【請求項２０】
前記識別具ストラップが識別目印を有し、
前記識別目印が色彩、模様、テキスト、グラフィックデザイン、浮き彫りデザイン、ロゴ、花柄デザイン、花輪デザイン及び広告を含む識別目印のグループから選択され、
前記識別具ストラップが、旅行カバンストラップ、本ストラップ、スポーツ活動ストラップ、ラップトップコンピュータストラップ及びモバイル通信装置ストラップを含むストラップのグループから選択されることを特徴とする請求項１９の物体識別装置。
【考案の詳細な説明】
【技術分野】
【０００１】
[0004]本考案は、閉じたループ形状のストラップにより物体（object）を取り囲み、物体を識別（identify）し締結（fastening ）する物体識別装置に関する。
【考案の開示】
【考案が解決しようとする課題】
【０００２】
本考案の目的は、旅行カバン等の識別すべき物体に容易かつ迅速に適用でき、特に物品のグループ内に存在する個人の物品を迅速かつ有効に識別する物体識別装置を提供することにある。
【課題を解決するための手段】
【０００３】
[0005]物体識別装置は、ファスナー（fastener:締結具）を含み、このファスナーが、雄型ファスナーを画定する第１の締結シート材料、及び雌型ファスナーを画定する第２の締結シート材料を有する。雌型ファスナーがれ自体上に折り返されてその中に雄型ファスナーを受け入れるように寸法決めされるポケットを形成する。ファスナーは物体の識別を容易にするために物体に取り付けられるようになっている。
【考案を実施するための最良の形態】
【０００４】
[0015]ここで、図面、特に図１−３を参照すると、本考案の１つの好ましい実施の形態に従って構成された物体識別装置１０が示される。物体識別装置１０は、旅行カバン、ブリーフケース、ハンドバッグ、モバイル通信装置、ラップトップコンピュータ、ゴルフバッグの如きスポーツ用品キャリヤ、雑のう及び他の同様の手運び物品のような物体１４を識別するために使用者により容易かつ迅速に認識できる視覚的及び物理的な識別具の組み合わせを利用する。視覚的な識別具は、少なくとも識別目印を有し、この場合、識別目印は色彩、模様、テキスト、グラフィックデザイン、浮き彫りデザイン、花柄デザイン、花輪デザイン、ロゴデザイン及び広告を含む識別目印のグループから選択され、ここでは、このような識別目印の例は図３に符号９０で全体的に示す。
【０００５】
後に一層詳細に説明するが、物体識別装置は、安価で、識別すべき物体に容易かつ迅速に適用でき、最も重要なことは、使用者が他の個人により所有又は使用される物品のグループ内に存在することのある個人の物品を迅速かつ有効に識別する補助を行う。
【０００６】
[0016]ここで、図面特にその図３を参照すると、本考案に従って構成された物体識別装置１０が図形的に示される。物体識別装置は一般に、迅速かつ便利な方法で物体１４の識別を容易にする視覚的な識別具１６をそこへ取り付けるようになった識別具ファスナー１２を少なくとも有する。
【０００７】
[0017]ここで、図３、５−８を参照して識別具ファスナー１２を詳細に考察すると、識別具ファスナー１２は一般に実質上異なる長さ寸法ではあるが同じ幅寸法を有する締結材料の２つのシートを有する。第１の締結シート材料は雄型ファスナー２０を画定し、一方、第２の締結シート材料は後に一層詳細に説明する雌型ファスナー２５を画定する。
【０００８】
[0018]ここで、図７を参照して第１の締結シート材料２０を詳細に考察すると、第１の締結シート材料２０は一般に平坦なシート布２１を有し、その上方即ち頂表面領域２１Ｕは全体を符号２２で示す複数の小さなプラスチックフックで覆われ、その下方即ち底表面領域２１Ｂは全体を符号２４で示す複数の小さなプラスチックフックで覆われる。本考案の好ましい実施の形態においては、締結材料の雄型シートは複数の小さなプラスチックフックで覆われたその上方及び下方の表面を有するものとして説明するが、当業者なら、変形例では、これらの表面は、そのような構成が一層便利である場合、複数の小さなフックと締結するための複数の小さなループで覆うことができることを理解すべきである。
【０００９】
[0019]ここで、図７を参照して第２の締結シート材料２５を詳細に考察すると、第２の締結シート材料２５は一般に全体を符号３０で示す第１の脚部材及び第２の脚部材３２を形成するようにそれ自体折り返された平坦なシート布２６を有する。第１及び第２の脚部材３０、３２はそれぞれ全体を符号３４で示す頂点部分のまわりで一緒になる。頂点部分３４は一般にループ３６を有し、このループは、リング部材４４の連続的な脚部材４２のまわりで恒久的に取り付けられるのを許容する縫い付け材料Ｓにより閉じた状態で縫い付けられる。リング部材４４は、本考案の１つの好ましい実施の形態においては、Ｏ−リングであり、本考案の別の好ましい実施の形態においては、Ｄ−リングである。当業者なら、ループ３６がリング部材４４のまわりで閉じた状態で縫い付けられているため、第１の脚部材３０及び第２の脚部材３２は、図７に明示するような脚開位置から図５に明示する脚閉位置へ移動するように、連続的な脚部材４２のまわりで枢動することを理解すべきである。
【００１０】
これは本考案の重要な特徴である。その理由は、この特徴が、雌型ファスナー２５の脚部がその間に雄型ファスナー２０を受け入れるために開くこと、次いで、図５に示すように雄型ファスナー２０の上方及び下方の表面領域に対して圧迫した状態で同じ構成を挟むように閉じることを許容するからである。これは、識別具ファスナー１２内で二重の締結領域を生じさせ、これは、後に一層詳細に説明する識別具ストラップ５０でのその使用を容易にする。
【００１１】
[0020]雌型ファスナー２５を詳細に考察すると、第２の締結シート材料は全体を符号２７で示す複数の小さなプラスチックループで覆われた下方即ち底部の表面締結領域２６Ｂと、先に述べた小さなプラスチックフック及び小さなプラスチックループの無い実質上円滑で平坦な表面領域２９である上方即ち頂部の表面領域２６Ｕとを有する。雌型ファスナー２５の上方表面領域２６Ｕは後に一層詳細に説明するような視覚的な識別具１６を取り付けるか又は締結するようになった第１の締結領域である。一方、下方の表面領域２６Ｂは挟持のような構成で雄型ファスナー２０の上方表面領域２１Ｕ及び雄型ファスナー２０の下方表面領域２１Ｂの双方に着脱自在に締結されるようになった第２の締結領域である。
【００１２】
先に述べたように、これは本考案の重要な特徴である。その理由は、この特徴が、雌型ファスナー２５の脚部が（リング部材即ち装着板４４に恒久的に固定された）頂点部分３４のまわりで互いに離間すること又は雄型ファスナー２０をその間で着脱自在に締結するために互いに対して閉じることを許容するからである。本考案の好ましい実施の形態においては、締結材料の雌型シート２５は複数の小さなプラスチックループで覆われたその下方表面を有するものとして説明したが、当業者なら、変形例では、この表面は、そのような構成が一層便利である場合、複数の小さなループと締結するための複数の小さなフックで覆うことができることを理解すべきである。
【００１３】
[0021]ファスナー１２が上方即ち頂部の領域２６Ｕを容易かつ迅速に識別するのを可能にするため、雌型ファスナーは色彩、模様、テキスト、グラフィックデザイン、浮き彫りデザイン、花柄デザイン、花輪デザイン、ロゴ及び広告メッセージを含む識別目印のグループから選択された識別目印を具備する。更に、視覚的な識別具を提供するため、物体識別装置は更に雌型ファスナー２５の上方の表面領域２６Ｕに取り付けられた全体を符号３８で示す透明なプラスチックシートを含む。プラスチックシート３８は図３に明示するような全体をＳで示す縫い付け材料により雌型ファスナーに取り付けられる。縫い付け材料Ｓはプラスチックシート３８の３つの側部上で利用されるが、全体を符号４６で示す識別カードをその中に受け入れるための開いた端部を残す。
【００１４】
本考案の１つの好ましい実施の形態においては、識別カード４６はビジネスカードであり、本考案の別の好ましい実施の形態においては、識別カード４６は所有者の名前、所有者の住所及び所有者の電話番号を提供するのに適した識別タグである。上述のことから、当業者なら、雌型ファスナー２５と組み合わせたプラスチックシート３８は雌型ファスナー２５の下方表面に取り付けられた、透明な窓を備えたポケットＰを形成することを理解すべきである。
【００１５】
[0022]好ましい実施の形態においては、ファスナー１２は雌型ファスナー２５の下方表面に取り付けられた透明な窓を備えたポケットを有するものとして説明したが、紙又は布のような識別カードは、保護ポケットを提供する必要なしに、任意の便利な取り付け手段により雌型ファスナー２５に直接取り付けることができることが考えられる。
【００１６】
[0023]ここで、図３、６を参照して雄型ファスナー２０を更に詳細に考察すると、雄型ファスナー２０は雌型ファスナー２５の長さのほぼ半分の長さ寸法を有する。これに関し、雌型ファスナー２５が長手方向のまわりで折り返され、リング部材４４に固定されたとき、雌型ファスナー２５は雄型ファスナー２０をその中に受け入れるようになったポケット６０（図７）を形成する。一層詳細には、雄型ファスナー２０の末端部分２９Ｄは雌型ファスナー２５の頂点部分３４に接して位置決めされ、そのため、末端部分はその脚部材３０、３２の双方にそれぞれ当接する。次いで、脚部材３０、３２は頂点部分３４のまわりで閉じ運動即ち枢動してヒンジのように作用でき、そのため、脚部材３０、３２は雄型ファスナー２０に係合してこれに固定される。
【００１７】
識別具ストラップ５０での雄型ファスナーの利用を容易にするため、識別具ストラップ５０の一端即ち末端は図３、６に明示するように雄型ファスナーの基端部分２９Ｐに取り付けられる。識別具ストラップ５０の他端即ち基端はスライド板即ち係止板７０のまわりでループ状に形成され、図４に明示するように、識別具ストラップ５０を係止板即ちストラップ板支持部材７０恒久的に取り付ける閉じたループ７２を形成するようにそれ自体上で縫い付けられる。
【００１８】
[0024]ここで、図３、４を参照して係止板７０を詳細に考察すると、係止板７０は中央に位置する支持脚部８４を備えた連続的な外側リング部材８２を含む単一の構造を有する。支持脚部８４は連続的な外側リング部材８２を実質上半分に分割し、それぞれ一対の離間した孔８６、８８を備えた係止板７０を提供する。孔８６、８８は、図３、４に明示するような平坦な形状において、その中に識別具ストラップ５０を受け入れるように寸法決めされる。これは本考案の重要な特徴である。その理由は、この特徴のため、支持即ち係止板７０がファスナー１２に対して進退するように摺動でき、識別具ファスナー１２によりループ形状となって固定されるときに識別具ストラップ５０により形成されるループの長さを生じさせるからである。図４に明示するように、識別具ストラップ５０はその一方の端部で支持脚部８４に取り付けられ、次いで、識別具ストラップ５０の他端即ち自由端部は係止板の孔を通過し、支持脚部８４に取り付けられた識別具ストラップ５０の部分と重なる。
【００１９】
[0025]識別具ストラップ５０の長さは物体識別の目的のために物体のまわりでループとなるのに十分な長さを有するように選択される。この場合、識別具ストラップ５０の長さは旅行カバン、ブリーフケース、１又はそれ以上の本、ラップトップコンピュータ、モバイル通信装置及び任意の他の同様の手運び物品の一部のまわりでループを形成するように選択することができる。識別具ストラップ５０の幅は例えばゴルフやテニスを行う際のスポーツ用品活動バッグのような物体に取り付けられたときに識別具ストラップ５０の簡単な視覚的識別を容易にするように選択される。
【００２０】
[0026]ここで、物体識別装置１０を更に詳細に考察すると、１つの好ましい実施の形態においては、物体識別装置１０は一般に、そこに装着板４４を摺動自在に装着した識別具ストラップ５０を含む。今度は、装着板４４はこれに装着した雌型ファスナー２５を有し、この場合、雌型ファスナーは装着板４４に取り付けられる頂点部分３４を有するＶ字形状となるように折り返される平坦な締結シート材料２７である。それぞれ自由脚部材３０、３２を有する雌型ファスナー２５は、雄型ファスナー２０をその中へ受け入れるのを容易にするために開くようになっており、次いで、脚部材３０、３２が閉じたときには、雄型ファスナーは二重の締結構成で雌型ファスナー２０に対して着脱自在に固定されるようになっている。
【００２１】
雄型ファスナー２０は材料の別の平坦なシート２７であり、このシートは、一対の自由脚部材３０、３２間での雄型ファスナーの挟持を容易にし、更に、識別具ストラップ５０により視覚的に識別すべき物体１４を取り囲むための閉じたループ形状となっての識別具ストラップ５０の固定を容易にするために、識別具ストラップ５０の一端に取り付けられる。次いで、一口で言えば、ファスナー１２及び識別具ストラップ５０は、物体１４が固定され又は締め付けられるのを可能にするのみならず、容易かつ迅速に識別されるのを可能にする。
【００２２】
[0027]次に、要約すれば、物体識別装置１０は、例えば識別具ファスナー１２及び識別具ストラップ５０の形をした物理的な識別具と、限定のない色彩、模様及びデザインを含む識別目印の形をした視覚的な識別具とを含む識別具の組み合わせを有する。更に、物体識別装置１０は、例えば旅行カバン、ブリーフケース、スポーツ用品バッグ、ラップトップコンピュータ、本及び他の手運び物品のような複数の異なる形式及び種類の物体に適用できる。
【００２３】
識別具ファスナー１２及び識別具ストラップ５０は組み合わさって物体を閉じた状態で固定する補助を行う。識別具ファスナー１２自体は、そのユニークで新規な構造のため、使用者が例えば識別具ファスナーの色彩又は識別ポケット内に位置する目印担持カードに基づいて個人の物体を直ちに識別するのを更に補助する。また、当業者なら、雄型ファスナー２０及び雌型ファスナー２５を含む識別具ファスナー１２は、そのユニークな挟持シート構造のため、使用者がファスナー１２により固定された物体を容易かつ迅速に識別するのを可能にすることを理解すべきである。付加された目印識別具は更に、使用者が個人の物体を識別できる容易さ及び速度を容易にする。
【００２４】
[0028]例示の目的でここに詳細に開示した本考案の好ましい実施の形態はもちろん、構造、デザイン、応用及び方法論において多くの異なる変形を行うことができることに留意されたい。多くの変形した及び異なる実施の形態がここで教示した考案の概念の範囲内で行うことができるため、及び、多くの修正が法令による記述的な要求に従ってここで詳述した実施の形態において行うことができるため、ここにおける詳細は例示的であって限定を意味しないものとして解釈すべきであることを理解すべきである。
【図面の簡単な説明】
【００２５】
【図１】旅行カバンに取り付けられた物体識別具を示す斜視図である。
【図２】ラップトップコンピュータに取り付けられた別の物体識別具を示す斜視図である。
【図３】本考案に従って構成された物体識別具の全体図である。
【図４】実質的に４−４線に沿って見た図３の物体識別具の断面図である。
【図５】実質的に5−5線に沿って見た図３の物体識別具の断面図である。
【図６】実質的に６−６線に沿って見た図３の物体識別具の断面図である。
【図７】一緒に着脱自在に締結しようとする図４の雄型及び雌型ファスナーを示す図形的な図である。
【図８】一緒に着脱自在に締結された図４の雄型及び雌型ファスナーを示す図形的な図である。
【図９】ファスナー及び識別タグの組み合わせに関する係止板の摺動作用を示す図３の物体識別具の図形的な断面図である。
【符号の説明】
【００２６】
１０：物体識別装置、
１２：識別具ファスナー
１４：物体
１６：視覚的なファスナー
２０：雄型ファスナー 
２２、２４：フック
２５：雌型ファスナー
２７：ループ
３０、３２：脚部材
３４：頂点部分 
３６：ループ
３８：プラスチックシート
４４：装着板
４６：識別カード
５０：識別具ストラップ
６０：ポケット 
７０：係止板
【図１】
0003145295.tif 000003
【図２】
0003145295.tif 000004
【図３】
0003145295.tif 000005
【図４】
0003145295.tif 000006
【図５】
0003145295.tif 000007
【図６】
0003145295.tif 000008
【図７】
0003145295.tif 000009
【図８】
0003145295.tif 000010
【図９】
0003145295.tif 000011